(57)【要約】【課題】撮像素子を支持する撮像素子支持部材をレンズユニットが装着されるレンズマウント部に対して相対的に移動させる場合にも、撮像素子の中心をレンズユニットの光軸と一致させることが可能な撮像装置を提供する。【解決手段】この監視カメラ１（撮像装置）は、映像を撮像するためのＣＣＤ１９を支持するＣＣＤ支持部材１５と、レンズユニット５０を装着可能なネジ部１１ａと、ネジ部１１ａと同一材料で一体的に設けられ、ＣＣＤ支持部材１５をレンズユニット５０の光軸Ｌが延びる方向に摺動可能に支持する筒部１１ｂとを含むレンズマウント１１とを備える。【選択図】図６
2010263518.tif 000002
【特許請求の範囲】
【請求項１】
映像を撮像するための撮像素子と、
前記撮像素子を支持する撮像素子支持部材と、
レンズユニットを装着可能なレンズ装着部と、前記レンズ装着部と同一材料で一体的に設けられ、前記撮像素子支持部材を前記レンズユニットの光軸が延びる方向に摺動可能に支持する摺動支持部とを含むレンズマウント部とを備えた、撮像装置。
【請求項２】
前記レンズマウント部のレンズ装着部と摺動支持部とは、同心円状になるように形成されている、請求項１に記載の撮像装置。
【請求項３】
前記レンズマウント部は、金属製で、かつ、円筒形状に形成され、
前記レンズマウント部の摺動支持部は、前記レンズマウント部の外周面により構成されており、
前記レンズ装着部は、前記摺動支持部と同心円状に形成されるとともに、前記レンズマウント部の内周面に形成されたネジ部により構成されている、請求項２に記載の撮像装置。
【請求項４】
前記レンズマウント部のレンズ装着部は、前記レンズマウント部の外周面を基準に前記レンズマウント部の内周面を加工することにより形成されている、請求項３に記載の撮像装置。
【請求項５】
前記撮像素子支持部材は、円筒形状部を含み、前記円筒形状部の内周側部分が前記レンズマウント部の摺動支持部に対して摺動するように構成されている、請求項１〜４のいずれか１項に記載の撮像装置。
【請求項６】
前記撮像素子支持部材の円筒形状部は、前記円筒形状部の内周側部分に前記レンズユニットの光軸が延びる方向に延びるように形成され、前記レンズマウント部の摺動支持部に対して摺動可能に当接するように設けられた第１リブ部を一体的に含む、請求項５に記載の撮像装置。
【請求項７】
前記撮像素子支持部材は、前記レンズマウント部に対して相対的に回転するのを防止する凸部をさらに含み、
前記レンズマウント部は、前記撮像素子支持部材の凸部と係合可能な凹部をさらに含み、
前記レンズマウント部の凹部は、前記撮像素子支持部材の凸部と係合した状態で前記撮像素子支持部材が前記レンズマウント部に対して摺動可能なように構成されている、請求項１〜６のいずれか１項に記載の撮像装置。
【請求項８】
前記撮像素子支持部材は、円筒形状部を含み、
前記撮像素子支持部材の凸部は、前記円筒形状部の内側に設けられた第２リブ部により構成され、
前記レンズマウント部の凹部は、前記レンズマウント部の摺動支持部に前記摺動支持部の中心を挟んで対向するように一対設けられ、前記撮像素子支持部材の第２リブ部と係合する切欠部により構成されている、請求項７に記載の撮像装置。
【請求項９】
ユーザにより回動操作されることにより前記撮像素子支持部材を前記レンズユニットの光軸が延びる方向に移動させるための操作部をさらに備え、
前記撮像素子支持部材は、前記円筒形状部の後端面に設けられ、前記レンズユニットの光軸が延びる方向に直交する方向に対して所定の角度傾斜するカム部を含み、
前記操作部は、前記撮像素子支持部材のカム部に当接する爪部を含むとともに、ユーザにより操作された際に、前記爪部が前記カム部を押圧することにより、前記撮像素子支持部材を前記光軸の延びる方向に移動させるように構成されている、請求項５または６に記載の撮像装置。
【発明の詳細な説明】
【技術分野】
【０００１】
この発明は、撮像装置に関し、特に、撮像素子を支持する撮像素子支持部材を備えた撮像装置に関する。
【背景技術】
【０００２】
従来、撮像素子を支持する撮像素子支持部材を備えた撮像装置などが知られている（たとえば、特許文献１〜３）。
【０００３】
上記特許文献１および２には、映像を撮像するためのＣＣＤ（撮像素子）と、ＣＣＤを支持する素子ホルダ（撮像素子支持部材）と、レンズユニットを装着可能なレンズマウント部と、後方が開放された箱型のカメラシャーシとを備えたカメラ（撮像装置）が開示されている。カメラシャーシの後方面には、レンズユニットの光軸線上とは異なる位置に、後方に延びるガイド軸が設けられている。また、素子ホルダは、ガイド軸が挿入される孔部を有しており、孔部にガイド軸が挿入されることにより、カメラシャーシに対して前後方向に移動可能に取り付けられている。
【０００４】
また、上記特許文献３には、映像を撮像するための撮像素子と、撮像素子を支持するシャーシ（撮像素子支持部材）と、後方が開放された箱型のレンズマウントとを備えた監視カメラ（撮像装置）が開示されている。シャーシの後方面には、レンズの光軸線上とは異なる位置に、後方に延びる水平ガイドロッドが設けられている。また、シャーシは、水平ガイドロッドに挿入される孔部を有しており、孔部に水平ガイドロッドが挿入されることにより、箱型のレンズマウントに対して前後方向に移動可能に取り付けられている。
【先行技術文献】
【特許文献】
【０００５】
【特許文献１】特開２００２−１７６５７９号公報
【特許文献２】特開２００２−１７６５８０号公報
【特許文献３】特開２００３−２７４２２９号公報
【発明の概要】
【発明が解決しようとする課題】
【０００６】
しかしながら、上記特許文献１および２のカメラ（撮像装置）では、カメラシャーシのレンズユニットの光軸線上とは異なる位置にガイド軸が設けられているので、レンズユニットとガイド軸との位置関係が製造誤差等によりばらつく場合があるとともに、ガイド軸の真直度も製造誤差等によりばらつく場合があるという不都合がある。このため、素子ホルダ（撮像素子支持部材）をレンズマウント部に対して光軸が延びる方向に移動させる際に、素子ホルダに保持されたＣＣＤ（撮像素子）の中心をレンズユニットの光軸と一致させるのが困難であるという問題点がある。
【０００７】
また、上記特許文献３の監視カメラ（撮像装置）では、レンズマウントのレンズの光軸線上とは異なる位置に水平ガイドロッドが設けられているので、レンズと水平ガイドロッドとの位置関係が製造誤差等によりばらつく場合があるとともに、水平ガイドロッドの真直度も製造誤差等によりばらつく場合があるという不都合がある。このため、シャーシ（撮像素子支持部材）をレンズマウントに対して光軸が延びる方向に移動させる際に、シャーシに保持された撮像素子の中心をレンズの光軸と一致させるのが困難であるという問題点がある。
【０００８】
この発明は、上記のような課題を解決するためになされたものであり、この発明の１つの目的は、撮像素子を支持する撮像素子支持部材をレンズユニットが装着されるレンズマウント部に対して相対的に移動させる場合にも、撮像素子の中心をレンズユニットの光軸と一致させることが可能な撮像装置を提供することである。
【課題を解決するための手段および発明の効果】
【０００９】
この発明の一の局面による撮像装置は、映像を撮像するための撮像素子と、撮像素子を支持する撮像素子支持部材と、レンズユニットを装着可能なレンズ装着部と、レンズ装着部と同一材料で一体的に設けられ、撮像素子支持部材をレンズユニットの光軸が延びる方向に摺動可能に支持する摺動支持部とを含むレンズマウント部とを備える。
【００１０】
この発明の一の局面による撮像装置では、上記のように、映像を撮像するための撮像素子を支持する撮像素子支持部材と、レンズユニットを装着可能なレンズ装着部と同一材料で一体的に形成され、撮像素子支持部材をレンズユニットの光軸が延びる方向に摺動可能に支持する摺動支持部とを含むレンズマウント部とを設けることによって、レンズマウント部のレンズ装着部と摺動支持部とが同一材料であるため、レンズ装着部および摺動支持部のいずれか一方を基準にしてレンズ装着部および摺動支持部の他方を加工することにより形成することができる。これにより、レンズマウント部のレンズ装着部と摺動支持部とのそれぞれの中心軸がずれるのを抑制することができるので、撮像素子を支持する撮像素子支持部材をレンズユニットが装着されるレンズマウント部の摺動支持部に対して相対的に移動（摺動）させる場合にも、撮像素子支持部材に保持された撮像素子の中心が、レンズ装着部に装着されたレンズユニットの光軸からずれるのを抑制することができ、その結果、撮像素子の中心をレンズユニットの光軸と一致させることができる。
【００１１】
上記一の局面による撮像装置において、好ましくは、レンズマウント部のレンズ装着部と摺動支持部とは、同心円状になるように形成されている。このように構成すれば、容易に、撮像素子の中心をレンズユニットの光軸と一致させることできる。
【００１２】
この場合、好ましくは、レンズマウント部は、金属製で、かつ、円筒形状に形成され、レンズマウント部の摺動支持部は、レンズマウント部の外周面により構成されており、レンズ装着部は、摺動支持部と同心円状に形成されるとともに、レンズマウント部の内周面に形成されたネジ部により構成されている。このように構成すれば、同一材料で一体的に形成されたレンズ装着部と摺動支持部とを、容易に、略同一の中心軸を有するように構成することができる。
【００１３】
上記レンズマウント部の外周面により摺動支持部が構成されるとともにレンズマウント部の内周面に形成されたネジ部によりレンズ装着部が構成された撮像装置において、好ましくは、レンズマウント部のレンズ装着部は、レンズマウント部の外周面を基準にレンズマウント部の内周面を加工することにより形成されている。このように構成すれば、レンズ装着部と摺動支持部とを確実に略同一の中心軸を有するように形成することができる。
【００１４】
上記一の局面による撮像装置において、好ましくは、撮像素子支持部材は、円筒形状部を含み、円筒形状部の内周側部分がレンズマウント部の摺動支持部に対して摺動するように構成されている。このように構成すれば、円筒形状に形成されたレンズマウント部の摺動支持部の外周面に対して、撮像素子支持部材を容易に摺動させることができる。
【００１５】
この場合、好ましくは、撮像素子支持部材の円筒形状部は、円筒形状部の内周側部分にレンズユニットの光軸が延びる方向に延びるように形成され、レンズマウント部の摺動支持部に対して摺動可能に当接するように設けられた第１リブ部を一体的に含む。このように構成すれば、円筒形状部の内周面がレンズマウント部の外周面により構成された摺動支持部に隙間なく接触する場合と比べて、撮像素子支持部材と摺動支持部との接触面積を小さくすることができる。これにより、撮像素子支持部材を、レンズマウント部に対して円滑に摺動させることができる。
【００１６】
上記一の局面による撮像装置において、好ましくは、撮像素子支持部材は、レンズマウント部に対して相対的に回転するのを防止する凸部をさらに含み、レンズマウント部は、撮像素子支持部材の凸部と係合可能な凹部をさらに含み、レンズマウント部の凹部は、撮像素子支持部材の凸部と係合した状態で撮像素子支持部材がレンズマウント部に対して摺動可能なように構成されている。このように構成すれば、撮像素子支持部材をレンズマウント部に対して摺動可能に構成しながら、レンズマウント部に対して相対的に回転するのを防止することができるので、撮像素子支持部材がレンズマウント部に対して摺動された際にも、撮像素子支持部材がレンズマウント部に対して回転方向にずれるのを防止することができる。
【００１７】
この場合、好ましくは、撮像素子支持部材は、円筒形状部を含み、撮像素子支持部材の凸部は、縁部の内側に設けられた第２リブにより構成され、レンズマウント部の凹部は、レンズマウント部の摺動支持部に摺動支持部の中心を挟んで対向するように一対設けられ、撮像素子支持部材の第２リブと係合する切欠部により構成されている。このように構成すれば、レンズマウント部の摺動支持部に対して摺動時支持部の中心を挟んで互いに離間した２箇所で係合させることができるので、撮像素子支持部材がレンズマウント部に対して回転方向にずれるのを確実に抑制することができる。
【００１８】
上記撮像素子支持部材が円筒形状部を含む撮像装置において、好ましくは、ユーザにより回動操作されることにより撮像素子支持部材をレンズユニットの光軸が延びる方向に移動させるための操作部をさらに備え、撮像素子支持部材は、レンズマウント部に対して摺動する部分の後側に設けられるとともに、円筒形状部に設けられ、レンズユニットの光軸が延びる方向と直交する方向に所定の角度傾斜するカム部を含み、操作部は、撮像素子支持部材のカム部に当接する爪部を含むとともに、ユーザにより操作された際に、爪部がカム部を押圧することにより、撮像素子支持部材を光軸の延びる方向に移動させるように構成されている。このように構成すれば、ユーザにより操作部が回動操作されることにより、容易に、撮像素子支持部材をレンズユニットの光軸の延びる方向に移動させることができる。
【図面の簡単な説明】
【００１９】
【図１】本発明の一実施形態による監視カメラの全体構成を示した斜視図である。
【図２】図１に示した一実施形態による監視カメラの装置本体の構造を示した斜視図である。
【図３】図１に示した一実施形態による監視カメラの装置本体の構造を示した平面図である。
【図４】図１に示した一実施形態による監視カメラの装置本体の内部の構造を示した分解斜視図である。
【図５】図１に示した一実施形態による監視カメラのレンズマウントを示した斜視図である。
【図６】図３に示した１００−１００線に沿った断面図である。
【図７】図３に示した２００−２００線に沿った断面図である。
【図８】図１に示した一実施形態による監視カメラのレンズマウントおよびＣＣＤ支持部材を示した斜視図である。
【図９】図１に示した一実施形態による監視カメラの装置本体の内部の構造を説明するための背面図である。
【図１０】図９に示した３００−３００線に沿った断面図である。
【発明を実施するための形態】
【００２０】
以下、本発明を具体化した実施形態を図面に基づいて説明する。
【００２１】
図１〜図１０を参照して、本発明の一実施形態による監視カメラ１の構成を説明する。なお、本実施形態では、本発明の撮像装置の一例として監視カメラ１について説明する。
【００２２】
本発明の一実施形態による監視カメラ１は、図１に示すように、装置本体２と、装置本体２に取り付けられるレンズユニット５０とにより構成されている。レンズユニット５０は、装置本体２の後述するレンズマウント１１に螺合されることにより装置本体２に取り付けられるように構成されている。
【００２３】
また、装置本体２は、図２に示すように、開口部１０ａを有し、前側（矢印Ｘ１方向側）に配置される樹脂製のフロントパネル１０と、後側（矢印Ｘ２方向側）に配置される樹脂製のリヤキャビネット３０とを含んでいる。また、フロントパネル１０の開口部１０ａには、アルミ系合金からなる金属製で、かつ、円筒形状のレンズマウント１１が取り付けられている。また、図３に示すように、フロントパネル１０の上面および下面（図９参照）には、後述する操作リング２１のハンドル部２１ａを操作可能に露出させるための切欠部１０ｂが設けられている。
【００２４】
また、図４に示すように、装置本体２（図２参照）の内部には、圧縮コイルバネ１２と、カバー部材１３と、減光フィルタ１４と、樹脂製のＣＣＤ支持部材１５と、ＣＣＤ支持部材１５に取り付けられたモータ１６と、光学ローパスフィルタ１７と、ゴム製のクッション材１８と、映像を撮像するＣＣＤ１９と、ＣＣＤ１９に電源を供給するプリント基板２０と、操作リング２１と、シャーシ２２とが配置されている。なお、ＣＣＤ支持部材１５は、本発明の「撮像素子支持部材」の一例であり、ＣＣＤ１９は、本発明の「撮像素子」の一例である。また、操作リング２１は、本発明の「操作部」の一例である。
【００２５】
ここで、本実施形態では、図５に示すように、レンズマウント１１は、レンズユニット５０（図１参照）を螺合するために形成されたネジ部１１ａと、円筒形状を有するとともに、ネジ部１１ａから後方（矢印Ｘ２方向）に延びるように形成された筒部１１ｂと、筒部１１ｂに形成された切欠部１１ｃとを有している。なお、ネジ部１１ａは、本発明の「レンズ装着部」の一例であり、筒部１１ｂは、本発明の「摺動支持部」の一例である。また、切欠部１１ｃは、本発明の「凹部」の一例である。切欠部１１ｃは、筒部１１ｂの中心を挟んで対向するように一対設けられている。
【００２６】
また、本実施形態では、レンズマウント１１は、円筒形状の筒部１１ｂの外周面１１ｄが所定の器具により把持された状態で内周面に旋盤加工が施されることによりネジ部１１ａが形成されるように構成されている。これにより、ネジ部１１ａと筒部１１ｂとを、確実に同心円状に形成することが可能となる。また、レンズマウント１１には、図６に示すように、ＣＣＤ支持部材１５を後方（矢印Ｘ２方向）に付勢するための圧縮コイルバネ１２が装着されている。
【００２７】
また、本実施形態では、レンズマウント１１の筒部１１ｂは、ＣＣＤ支持部材１５を摺動可能に支持するように構成されている。このＣＣＤ支持部材１５は、図７に示すように、レンズマウント１１の筒部１１ｂと同一の中心Ｏを有する同心円状に形成された円筒形状部１５ａを含む。また、円筒形状部１５ａは、図４に示すように、レンズユニット５０（図１参照）の光軸Ｌ（図６参照）と同じ方向に延びるように形成されるとともに、円筒形状部１５ａの内周面に設けられた４つのリブ１５ｂを一体的に有している。また、４つのリブ１５ｂは、図７に示すように、約９０度間隔で４つ設けられている。また、４つのリブ１５ｂは、それぞれ、レンズマウント１１の筒部１１ｂの外周面１１ｄと当接するように円筒形状部１５ａの中心Ｏに向かって突出するように形成されている。つまり、ＣＣＤ支持部材１５は、円筒形状部１５ａに設けられた４つのリブ１５ｂがレンズマウント１１の筒部１１ｂの外周面１１ｄと当接した状態で光軸Ｌ（図６参照）と同じ方向に移動可能に構成されている。また、４つのリブ１５ｂは、レンズマウント１１の外周面１１ｄに対する当接部の表面の断面形状が丸型形状を有するように形成されている。これにより、４つのリブ１５ｂとレンズマウント１１の筒部１１ｂの外周面１１ｄとの接触圧を小さくすることが可能であるので、ＣＣＤ支持部材１５の摺動を円滑にすることが可能となる。なお、リブ１５ｂは、本発明の「第１リブ部」の一例である。
【００２８】
また、ＣＣＤ支持部材１５は、図４に示すように、円筒形状部１５ａの内側にＣＣＤ１９が保持されるＣＣＤ保持部１５ｃと、円筒形状部１５ａの内側に設けられ、円筒形状部１５ａとＣＣＤ保持部１５ｃとを接続するように設けられた２つのリブ１５ｄとを有している。なお、リブ１５ｄは、本発明の「凸部」および「第２リブ部」の一例である。ＣＣＤ保持部１５ｃは、ＣＣＤ１９の中心と、レンズユニット１１に装着されるレンズユニット５０（図１参照）の光軸Ｌとが一致するようにＣＣＤ１９を保持するように構成されている。また、２つのリブ１５ｄは、図７および図８に示すように、ＣＣＤ支持部材１５がレンズマウント１１に対して相対的に回転するのを防止するようにレンズマウント１１の２つの切欠部１１ｃのそれぞれと係合するように構成されている。また、図８に示すように、レンズマウント１１の切欠部１１ｃとＣＣＤ支持部材１５のリブ１５ｄとの間には、ＣＣＤ支持部材１５がレンズマウント１１に対して摺動可能なように、切欠部１１ｃとリブ１５ｄとが係合した状態で前後方向（Ｘ方向）に隙間を有するように形成されている。
【００２９】
また、ＣＣＤ支持部材１５には、図６に示すように、減光フィルタ１４をＣＣＤ１９に対して移動させるためのモータ１６が取り付けられている。このモータ１６は、レンズマウント１１とＣＣＤ１９とシャーシ２２との間に形成されるスペースに配置されている。また、減光フィルタ１４は、図４に示すように、赤外線を遮光する昼間撮影用の赤外線フィルタ１４ａと、夜間撮影用の夜間用フィルタ１４ｂと、下部に設けられたラック部１４ｃとを含む。また、モータ１６には、図６に示すように、減光フィルタ１４のラック部１４ｃと噛合するピニオンギア１６ａが取り付けられており、減光フィルタ１４は、モータ１６が駆動することにより、左右に移動するように構成されている。これにより、減光フィルタ１４がモータ１６により切り換えられることにより昼間時の撮影と夜間時の撮影とを切り換えることが可能である。
【００３０】
また、ＣＣＤ支持部材１５の中心部分には、ＣＣＤ１９を前方（矢印Ｘ１方向）に露出させるための開口部１５ｅが設けられている。また、ＣＣＤ支持部材１５の円筒形状部１５ａの後端面には、光軸Ｌが延びる方向に直交する方向に対して所定の角度傾斜するように形成されたカム部１５ｆが設けられている。このカム部１５ｆは、操作リング２１の後述する爪部２１ｂ（図４参照）と当接するように配置されている。
【００３１】
また、ＣＣＤ支持部材１５の開口部１５ｅには、ＣＣＤ１９により被写体を撮像した際に発生するモアレ（縞模様）を低減するためのガラス材からなる光学ローパスフィルタ１７が取り付けられている。また、光学ローパスフィルタ１７とＣＣＤ１９との間には、光学ローパスフィルタ１７とＣＣＤ１９とが接触するのを抑制するためのクッション材１８が配置されている。
【００３２】
また、ＣＣＤ支持部材１５の円筒形状部１５ａの外側には、円筒形状部１５ａを囲い込むように設けられ、樹脂製で、かつ、円筒形状の操作リング２１が配置されている。この操作リング２１は、ユーザにより回動操作されることによりＣＣＤ支持部材１５をレンズユニット５０（図１参照）の光軸Ｌ（図６参照）が延びる方向に移動させるために設けられている。具体的には、操作リング２１は、図９に示すように、外側に向かって突出するように設けられ、ユーザにより回動操作される２つのハンドル部２１ａと、内側に向かって突出するように設けられた３つの爪部２１ｂとを一体的に有している。また、爪部２１ｂは、図９および図１０に示すように、それぞれ、ＣＣＤ支持部材１５のカム部１５ｆの後端面に当接されるように構成されている。そして、ＣＣＤ支持部材１５は、ユーザによりハンドル部２１ａが逆時計方向に回動操作されると、カム部１５ｆと当接する爪部２１ｂがカム部１５ｆの傾斜に沿って光軸Ｌの延びる方向で、かつ、前方向（矢印Ｘ１方向）に移動されるように構成されている。また、ＣＣＤ支持部材１５は、ユーザによりハンドル部２１ａが時計方向に回動操作されると、圧縮コイルバネ１２の後方への付勢力により後方向（矢印Ｘ２方向）に移動されるように構成されている。これにより、フランジバック（レンズユニット５０（図１参照）とＣＣＤ１９との間の距離）が調整される。
【００３３】
本実施形態では、上記のように、映像を撮像するためのＣＣＤ１９を支持するＣＣＤ支持部材１５と、レンズユニット５０を装着可能なネジ部１１ａと同一材料で一体的に設けられ、ＣＣＤ支持部材１５をレンズユニット５０の光軸Ｌが延びる方向に摺動可能に支持する筒部１１ｂとを含むレンズマウント１１とを設けることによって、レンズマウント１１のネジ部１１ａと筒部１１ｂとが同一材料であるため、ネジ部１１ａおよび筒部１１ｂのいずれか一方を基準にしてネジ部１１ａおよび筒部１１ｂの他方を加工することにより形成することができる。これにより、レンズマウント１１のネジ部１１ａと筒部１１ｂのそれぞれの中心軸がすれるのを抑制することができるので、ＣＣＤ１９を支持するＣＣＤ支持部材１５をレンズユニット５０が装着されるレンズマウント１１の筒部１１ｂに対して相対的に移動（摺動）させる場合にも、ＣＣＤ支持部材１５に保持されたＣＣＤ１９の中心が、ネジ部１１ａに装着されたレンズユニット５０の光軸Ｌからずれるのを抑制することができ、その結果、ＣＣＤ１９の中心をレンズユニット５０の光軸Ｌと一致させることができる。
【００３４】
また、本実施形態では、上記のように、レンズマウント１１のネジ部１１ａと筒部１１ｂとを、同心円状になるように形成することによって、容易に、ＣＣＤ１９の中心をレンズユニット５０の光軸Ｌと一致させることができる。
【００３５】
また、本実施形態では、上記のように、レンズマウント１１を、金属製で、かつ、円筒形状に形成し、レンズマウント１１のＣＣＤ支持部材１５を摺動可能に支持する部分を、レンズマウント１１の筒部１１ｂの外周面１１ｄに設け、ネジ部１１ａを、筒部１１ｂと同心円状に形成するとともに、レンズマウント１１の内周面に形成することによって同一材料で一体的に形成されたネジ部１１ａと筒部１１ｂとを、容易に、略同一の中心軸を有するように構成することができる。
【００３６】
また、本実施形態では、上記のように、レンズマウント１１のネジ部１１ａを、レンズマウント１１の外周面１１ｄを基準にレンズマウント１１の内周面を旋盤加工することにより形成することによって、ネジ部１１ａと筒部１１ｂとを確実に略同一の中心軸を有するように形成することができる。
【００３７】
また、本実施形態では、上記のように、ＣＣＤ支持部材１５に円筒形状部１５ａを設け、ＣＣＤ支持部材１５を、円筒形状部１５ａの内周側部分がレンズマウント１１の筒部１１ｂに対して摺動するように構成することによって、円筒形状に形成されたレンズマウント１１の筒部１１ｂの外周面１１ｄに対して、ＣＣＤ支持部材１５を容易に摺動させることができる。
【００３８】
また、本実施形態では、上記のように、ＣＣＤ支持部材１５の円筒形状部１５ａの内周側部分にレンズユニット５０の光軸Ｌが延びる方向に延びるように形成され、レンズマウント１１の筒部１１ｂに対して摺動可能に当接するように設けられたリブ１５ｂを一体的に設けることによって、円筒形状部１５ａの内周面がレンズマウント１１の筒部１１ｂの外周面１１ｄに隙間なく接触する場合と比べて、ＣＣＤ支持部材１５と筒部１１ｂとの接触面積を小さくすることができる。これにより、ＣＣＤ支持部材１５を、レンズマウント１１に対して円滑に摺動させることができる。
【００３９】
また、本実施形態では、上記のように、ＣＣＤ支持部材１５に、レンズマウント１１に対して相対的に回転するのを防止するリブ１５ｄを設け、レンズマウント１１に、ＣＣＤ支持部材１５のリブ１５ｄと係合可能な切欠部１１ｃを設け、ＣＣＤ支持部材１５のリブ１５ｄと係合した状態でレンズマウント１１の切欠部１１ｃを、ＣＣＤ支持部材１５がレンズマウント１１に対して摺動可能なように構成することによって、ＣＣＤ支持部材１５をレンズマウント１１に対して摺動可能に構成しながら、レンズマウント１１に対して相対的に回転するのを防止することができるので、ＣＣＤ支持部材１５がレンズマウント１１に対して摺動された際にも、ＣＣＤ支持部材１５がレンズマウント１１に対して回転方向にずれるのを防止することができる。
【００４０】
また、本実施形態では、上記のように、レンズマウント１１の切欠部１１ｃを、レンズマウント１１の筒部１１ｂに筒部１１ｂの中心を挟んで対向するように一対設けることによって、レンズマウント１１の切欠部１１ｃとＣＣＤ支持部１５のリブ１５ｄとを、レンズマウント１１の筒部１１ｂの中心を挟んで２箇所で係合させることができるので、ＣＣＤ支持部材１５がレンズマウント１１に対して回転方向にずれるのを確実に抑制することができる。
【００４１】
また、本実施形態では、上記のように、ユーザにより操作されることによりＣＣＤ支持部材１５をレンズユニット５０の光軸Ｌが延びる方向に移動させるための操作リング２１を設け、ＣＣＤ支持部材１５に、円筒形状部１５ａのレンズマウント１１に対して摺動する部分の後側に設けられるとともに、レンズユニット５０の光軸Ｌが延びる方向と直交する方向に所定の角度傾斜するカム部１５ｆを設け、操作リング２１を、ＣＣＤ支持部材１５のカム部１５ｆに当接する爪部２１ｂを含み、ユーザにより操作された際に、爪部２１ｂがカム部１５ｆを押圧することにより、ＣＣＤ支持部材１５を光軸Ｌの延びる方向に移動させるように構成することによって、ユーザにより操作リング２１が回動操作されることにより、容易に、ＣＣＤ支持部材１５をレンズユニット５０の光軸Ｌの延びる方向に移動させることができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、本発明の撮像装置の一例として、監視カメラを示したが、本発明はこれに限らず、レンズユニットの光軸が延びる方向に移動可能に構成されるＣＣＤ支持部材を備えた撮像装置であれば、デジタルカメラおよびビデオカメラなど、監視カメラ以外の撮像装置にも適用可能である。
【００４４】
また、上記実施形態では、映像を撮像する撮像素子の一例としてＣＣＤを示したが、本発明はこれに限らず、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの他のイメージセンサを用いてもよい。
【００４５】
また、上記実施形態では、レンズマウントの筒部の外周面を、ＣＣＤ支持部材の円筒形状部の内周面が摺動する例を示したが、本発明はこれに限らず、レンズマウントの筒部の内周面を、ＣＣＤ支持部材の円筒形状部の外周面が摺動するように構成してもよい。
【００４６】
また、上記実施形態では、レンズマウントを、内周面にレンズユニットを支持するネジ部を形成するとともに、外周面をＣＣＤ支持部材を摺動可能に支持するように構成する例を示したが、本発明はこれに限らず、レンズマウントを、内周面にネジ部を形成するとともに、内周面がＣＣＤ支持部材を摺動するように構成してもよい。また、レンズマウントを、外周面にネジ部を形成するとともに、外周面がＣＣＤ支持部材を摺動するように構成してもよい。また、外周面にネジ部を形成するとともに、内周面がＣＣＤ支持部材を摺動するように構成してもよい。
【００４７】
また、上記実施形態では、レンズマウントの筒部とＣＣＤ支持部材の円筒形状部とを同心円状に形成する例を示したが、本発明はこれに限らず、ＣＣＤ支持部材の円筒形状部がレンズマウントの筒部に対して摺動可能であれば、直方体など、円筒形状以外の形状を有するようにレンズマウントの筒部とＣＣＤ支持部材の円筒形状部とを構成してもよい。
【符号の説明】
【００４８】
１  監視カメラ（撮像装置）
１１  レンズマウント（レンズマウント部）
１１ａ  ネジ部（レンズ装着部）
１１ｂ  筒部（摺動支持部）
１１ｃ  切欠部（凹部）
１１ｄ  外周面
１５  ＣＣＤ支持部材（撮像素子支持部材）
１５ａ  円筒形状部
１５ｂ  リブ（第１リブ部）
１５ｄ  リブ（凸部、第２リブ部）
１５ｆ  カム部
１９  ＣＣＤ（撮像素子）
２１  操作リング（操作部）
２１ｂ  爪部
５０  レンズユニット
Ｌ  光軸
【図１】
2010263518.tif 000003
【図２】
2010263518.tif 000004
【図３】
2010263518.tif 000005
【図４】
2010263518.tif 000006
【図５】
2010263518.tif 000007
【図６】
2010263518.tif 000008
【図７】
2010263518.tif 000009
【図８】
2010263518.tif 000010
【図９】
2010263518.tif 000011
【図１０】
2010263518.tif 000012